(57)【要約】【課題】  表示画面に表示される遊技場の案内平面図の位置情報が、当該案内平面図とともに同一の画面上に表示され、これを利用する遊技者において当該案内平面図が遊技場のどの位置を示しているかを容易に的確に把握することができ、利便性の高い遊技場案内装置を提供する。【解決手段】  遊技場のフロア案内図として、当該フロアの案内平面図２を表示する表示画面１を備えた遊技場案内装置であって、前記案内平面図２とともに、当該案内平面図２が、前記遊技場のどの位置を表示しているかを示す一又は複数の位置情報３，４を、前記表示画面１の同一画面上に表示する。【選択図】        図１
2008061890.tif 000002
【特許請求の範囲】
【請求項１】
遊技場のフロア案内図として、当該フロアの案内平面図を表示する表示画面を備えた遊技場案内装置であって、
前記案内平面図とともに、当該案内平面図が、前記遊技場のどの位置を表示しているかを示す一又は複数の位置情報を、前記表示画面の同一画面上に表示することを特徴とする遊技場案内装置。
【請求項２】
前記位置情報は、前記フロアの階数であることを特徴とする請求項１に記載の遊技場案内装置。
【請求項３】
前記案内平面図は、前記フロアの部分平面図であり、前記位置情報は、前記フロア全体に対する前記フロア部分の位置情報であることを特徴とする請求項１又は２に記載の遊技場案内装置。
【発明の詳細な説明】
【技術分野】
【０００１】
この発明は、パチンコ台やスロット台等の遊技台を設置している遊技場の案内図を表示画面に表示して、遊技客に提供する遊技場案内装置に関するものである。
【背景技術】
【０００２】
従来、遊技場内におけるパチンコ機、スロット機等の遊技台の配置図を遊技者に対して提供するものとして、特許文献１に示すように、画面に平面図を表示するものが知られている。この平面図では、遊技台の上面が矩形で表示され、それが複数配置されるとともにカウンター（窓口）等の表示を配置することにより、遊技場内の遊技台配置図を遊技者に対して提供している。また、特許文献２では、遊技台の配置を立体的な斜視図で示している。
【０００３】
すなわち、特許文献１に記載の遊技場内情報表示方法及び遊技場内情報表示装置は、遊技台の配置等を示す遊技場の案内図を平面図で表示するものである。特許文献２に記載のパチンコ店における遊技台情報公開システムは、このような遊技場の案内図を、３次元的に表示するものである。
【０００４】
【特許文献１】特開２００３−３２５９３５号公報
【特許文献２】特開２００５−２０４７１９号公報
【発明の開示】
【発明が解決しようとする課題】
【０００５】
しかしながら、前記特許文献１及び２の場合では、その店舗が複数の階層から成り立っている場合や広い店舗である場合には、それらの表示が画面上にないため、現在何階のフロアであるか、あるいは広いフロアのどの場所を表示しているのか分からない、という問題点を有しており、これにより画面で遊技台を検索する遊技者にとって不便なものであった。また、遊技者によっては島の表示や文字が小さくて見難い場合もある。
【０００６】
すなわち、特許文献１及び２においては、画面に表示されたフロア案内図が、遊技場のどの階層を示しているかが表示されないため、わかりにくく、不便である。また、フロア案内図を部分的に拡大したときに、当該部分のフロアに対する位置情報が表示されれば便利であるが、特許文献１及び２では、このような表示をするものではない。したがって、これらの装置は、案内図を見て遊技場の情報を取得しようとする遊技者にとって不便なものである。
【０００７】
この発明は前記従来技術を考慮したものであって、表示画面に表示される遊技場の案内平面図の位置情報が、当該案内平面図とともに同一の画面上に表示され、これを利用する遊技者において当該案内平面図が遊技場のどの位置を示しているかを容易に的確に把握することができ、利便性の高い遊技場案内装置の提供を目的とするものである。
【課題を解決するための手段】
【０００８】
前記目的を達成するため、請求項１の発明では、遊技場のフロア案内図として、当該フロアの案内平面図を表示する表示画面を備えた遊技場案内装置であって、前記案内平面図とともに、当該案内平面図が、前記遊技場のどの位置を表示しているかを示す一又は複数の位置情報を、前記表示画面の同一画面上に表示することを特徴とする遊技場案内装置を提供する。
【０００９】
請求項２の発明では、請求項１の発明において、前記位置情報は、前記フロアの階数であることを特徴としている。
【００１０】
請求項３の発明では、請求項１又は２の発明において、前記案内平面図は、前記フロアの部分平面図であり、前記位置情報は、前記フロア全体に対する前記フロア部分の位置情報であることを特徴としている。
【発明の効果】
【００１１】
請求項１の発明によれば、フロアの案内平面図とともに、当該案内平面図の遊技場における一又は複数の位置情報が表示画面の同一画面上に表示されるため、これを利用する遊技者が、表示画面を見るだけで表示された案内平面図が遊技場のどの位置にあるかを把握でき、遊技場内のフロア案内情報を容易に的確に把握することができる。
【００１２】
請求項２の発明によれば、位置情報がフロアの階数であるため、遊技者は表示画面に表示されたフロアの案内平面図が遊技場のどの階層を示しているかを容易に的確に把握することができる。
【００１３】
請求項３の発明によれば、案内平面図がフロアの部分平面図であるときに、この部分のフロア全体に対する位置情報が表示されるため、遊技者は表示画面に表示されたフロアの案内平面図が遊技場のフロアにおけるどの位置を示しているかを容易に的確に把握することができる。
【発明を実施するための最良の形態】
【００１４】
この発明は、遊技場のフロア案内図として、当該フロアの案内平面図を表示する表示画面を備えた遊技場案内装置であって、前記案内平面図とともに、当該案内平面図が、前記遊技場のどの位置を表示しているかを示す一又は複数の位置情報を、前記表示画面の同一画面上に表示するため、これを利用する遊技者が、表示画面を見るだけで表示された案内平面図が遊技場のどの位置にあるかを把握でき、遊技場内のフロア案内情報を容易に的確に把握することができる遊技場案内装置である。
【実施例１】
【００１５】
図１はこの発明に係る遊技場案内装置の表示画面の概略構成図である。
表示画面１には、メイン画面２と、サブ画面３，４及びタッチパネル式の操作部５が表示される。メイン画面２には、遊技場のフロアの一部又は全部の案内平面図が表示される。この案内平面図には、参照するフロアのパチンコ台やスロット台等の遊技台Ｄや、窓口や両替機、エスカレーター等の設備Ｓの配置図が表示される。これにより、案内平面図を見た遊技者は、フロアのどの位置にどのような遊技台Ｄあるいは設備Ｓがあるかを容易にかつ的確に把握できる。なお、これらの表示は図柄や文字、あるいはその両方で表示してもよい。また、フロアが複数階にわたる場合には、このような案内平面図は各階ごとに用意される。
【００１６】
サブ画面３，４には、メイン画面２が遊技場のどの位置を表示しているかの位置情報を表示する。この位置情報は、例えばフロアの階数であり、このサブ画面３，４については後述（図２、図３参照）する。
【００１７】
操作部５はメイン画面２の拡大や縮小、あるいは表示されるフロアの階層を選択するためのものである。この操作部５はタッチパネル式に限らず、装置本体（図示省略）に直接備えてもよい。タッチパネル式とすれば、容易な操作で遊技場内を擬似的に探索できるという趣味感を向上させることができる。
【００１８】
図２はサブ画面の例を示す概略構成図である。
（Ａ）に示すように、遊技場の建物が６階建ての場合、サブ画面３には四角形で表されたフロアＦが６個積層されて表示される。このうち、メイン画面２（図１参照）に表示されているフロアＦが色分けされて表示される（図では３Ｆ）。これにより、メイン画面２に表示されたフロアＦの案内平面図の正確な位置情報が容易に的確に把握できる。すなわち、メイン画面２に表示された案内平面図の遊技場における階数を把握することができる。
【００１９】
（Ｂ）に示すように、遊技場が二つの建物に分かれている場合（図ではＡ館とＢ館）、サブ画面３には四角形で表されたフロアＦが積層されて表示された建物が２個表示される。図では、Ａ館、Ｂ館ともに６階建ての例を示す。このような表示でも、（Ａ）と同様に、メイン画面２（図１参照）に表示されているフロアＦが色分けされて表示される（図ではＡ館の３Ｆ）。このように表示すれば、遊技場が複数個の建物からなる場合でも、メイン画面２に表示されたフロアＦの案内平面図の正確な位置情報が容易に的確に把握できる。
【００２０】
なお、図ではメイン画面に表示されるフロアＦの位置情報を色分けするものを示したが、表示されるフロアＦを点滅させてもよい。メイン画面２に表示する案内平面図の階層を変える場合には、操作部５により操作してもよいし、直接サブ画面３のフロアＦに触れて操作してもよいし、メイン画面２に表示されるエスカレーターや階段、あるいはエレベーターの表示に触れて操作してもよい。このとき、エレベーターの場合には、エレベーターに触れると階層選択表示が出現するようにして、ここから表示したい階層を選択可能としてもよい。選択した階が表示されると、効果音や音声で知らせるようにしてもよい。なお、１５はＡ館とＢ館とをつなぐ連絡通路である。実際の建物に連絡通路が存在する場合には、このような表示を設けることで、遊技者に建物移動のための情報を提供することができる。
【００２１】
図３はサブ画面の別の例を示す概略構成図である。
図示したように、フロアＦの部分平面図をメイン画面２に表示している場合、サブ画面４には、当該フロアＦにおけるその部分の位置が色分けして表示される（図ではフロアの右下部分）。このように表示することにより、メイン画面２に表示された部分平面図のフロアＦの全体に対する位置情報が強調されて分かりやすく明確に表示されるため、遊技者は表示画面１のメイン画面２に表示されたフロアＦの部分平面図が、遊技場のフロアＦにおけるどの位置であるかを容易に的確に把握することができる。
【００２２】
この場合の表示操作としては、例えば、フロア全体の平面図の拡大したい部分をタッチしてその部分平面図を拡大して表示する。操作部５（図１参照）には「拡大」や「縮小」や、「＋」や「−」のタッチパネルが作成され、このタッチパネルを操作することにより当該部分平面図をさらに拡大、縮小するようにすることが考えられる。このような拡大機能があれば、メイン画面２で読みにくい文字等を読みやすくすることができ、利便性が向上する。また、メイン画面２をタッチすることにより画面上のフロアを移動可能としてもよいし、画面のいずれかの部分又は操作部５に、上下左右又は東西南北の矢印表示を設けておき、画面中での店内移動の際にはこの矢印をタッチすることで移動可能としてもよい。あるいはこれらを組み合わせてもよい。
【００２３】
なお、上述した図２ではサブ画面３を、図３ではサブ画面４を示したが、これらの位置は逆であってもよいし、表示画面１上の位置も図１のような右下及び左下に限定されるものではない。また、サブ画面を一個として、上述した図２と図３の位置情報を一個のサブ画面上で切り替え可能としてもよい。
【００２４】
図２や図３で示した位置情報を、メイン画面２と同一の表示画面１上に表示することにより、これを利用する遊技者が、表示画面１を見るだけで遊技場内のフロア案内情報を容易に的確に把握することができる。
【００２５】
図４はこの発明に係る遊技場案内装置の概略構成図である。
図示したように、ＣＰＵ６は、後述するハードディスク装置７に格納されているアプリケーションプログラム、オペレーティングシステム（ＯＳ）や制御プログラム等を実行し、ＲＡＭ８にプログラムの実行に必要な情報、ファイル等を一時的に格納する制御を行う。９はＲＯＭであり、内部には基本Ｉ／Ｏプログラム等の各種データを記憶する。この各種データは一時的にＲＡＭ８に記憶される。ＲＡＭ８は、ＣＰＵ６のメインメモリ、ワークエリア等として機能する。
【００２６】
１０は記録媒体へのアクセスを実現するための外部記憶ドライブであり、メディア（記録媒体）１１に記憶されたプログラム等を本コンピュータシステムにロードすることができる。メディア１１には、フレキシブルディスク（ＦＤ）、ＣＤ−ＲＯＭ、ＣＤ−Ｒ、ＣＤ−ＲＷ、ＰＣカード、ＤＶＤ、ＩＣメモリカード、ＭＯ、メモリスティック等が含まれる。大容量メモリとして機能するハードディスク（ＨＤ）７には、アプリケーションプログラム、ＯＳ、制御プログラム、関連プログラム等が格納される。
【００２７】
指示入力装置１２は、キーボードやポインティングデバイス（マウス等）、タッチパネル等である。この指示入力装置１２を用いて、この発明の遊技場案内装置を制御するコマンド等を入力指示可能である。表示画面１は、指示入力装置１２から入力されたコマンドや、それに対する情報表示装置の応答出力等を表示したりするものである。これらの情報表示装置内のデータは、システムバス１３に沿って流れる。１４は外部装置とのデータのやり取りを行うインターフェイス（Ｉ／Ｆ）である。
【００２８】
以上の各装置と同等の機能を実現するソフトウェアにより、ハードウェア装置の代替として構成することもできる。
【００２９】
なお、図では、説明の便宜のため、この発明に係る遊技場案内装置をひとつの装置で実現した構成について述べたが、複数の装置にリソースを分散した構成によって実現してもよい。例えば、記憶や演算のリソースを複数の装置に分散した形に構成してもよい。又は、遊技場案内装置上で仮想的に実現される構成要素ごとにリソースを分散し、並列処理を行うようにしてもよい。
【００３０】
ＨＤ７には、予め遊技場における各フロアの案内平面図とその位置情報、各フロアの部分平面図とそのサイズ等のパラメータとが関連付けて記憶される。これらの情報の記憶場所はＨＤ７に限られるものではなく、各種メディア１１であってもよい。
【００３１】
すなわち、図１に示される表示画面１に表示される情報は、ＨＤ７あるいは外部記憶ドライブ１０を介してメディア１１に格納される。この情報は、前記図１で説明したように、メイン画面２及びサブ画面３，４に表示され、操作部５と連動する指示入力装置１２により、案内平面図のフロア変更や拡大、縮小等が行われる。
【図面の簡単な説明】
【００３２】
【図１】この発明に係る遊技場案内装置の表示画面の概略構成図である。
【図２】サブ画面の例を示す概略構成図である。
【図３】サブ画面の別の例を示す概略構成図である。
【図４】この発明に係る遊技台情報表示装置の概略構成図である。
【符号の説明】
【００３３】
１：表示画面、２：メイン画面、３：サブ画面、４：サブ画面、５：操作部、６：ＣＰＵ、７：ＨＤ、８：ＲＡＭ、９：ＲＯＭ、１０：外部記憶ドライブ、１１：メディア、１２：指示入力装置、１３：システムバス、１４：Ｉ／Ｆ、Ｄ：遊戯台、Ｆ：フロア、Ｓ：設備
【図１】
2008061890.tif 000003
【図２】
2008061890.tif 000004
【図３】
2008061890.tif 000005
【図４】
2008061890.tif 000006